(57)【要約】【課題】室内の空調を行う空調システムにおいて、室内の空間の環境悪化を抑制することを目的とする。【解決手段】室内に配置される換気装置４と脱臭装置１２とを備え、換気装置４と脱臭装置１２とは連動運転する構成とし、調理時に換気装置４が屋外へ換気送風する換気運転終了と同時に、少なくとも脱臭装置１２は、室内への循環送風による脱臭運転を行うことを特徴とし、調理時に換気装置が屋外へ換気送風する換気運転で換気できなかった臭気を、換気運転終了と同時に、脱臭装置によって、脱臭運転を行い、室内の空間の環境悪化を抑制することができる。【選択図】図１
2015183945.tif 000002
【特許請求の範囲】
【請求項１】
室内に配置される換気装置と脱臭装置とを備え、前記換気装置と前記脱臭装置とは連動運転する構成とし、調理時に前記換気装置が屋外へ換気送風する換気運転終了と同時に、少なくとも前記脱臭装置は、室内への循環送風による脱臭運転を行うことを特徴とする空調システム。
【請求項２】
前記脱臭装置は、第１の風量での前記脱臭運転と、前記第１の風量より大きい第２の風量での前記脱臭運転とを有し、調理時に前記換気装置の前記換気運転中に、前記脱臭装置が前記第１の風量で前記脱臭運転を行っている場合には、前記換気装置の前記換気運転終了と同時に、前記脱臭装置は、前記第２の風量で前記脱臭運転を行うことを特徴とする請求項１に記載の空調システム。
【請求項３】
前記脱臭装置は、前記換気装置より上方に設置されたことを特徴とする請求項１または２に記載の空調システム。
【請求項４】
前記脱臭装置は、天井面に沿って吸い込む脱臭用吸込口を有することを特徴とする請求項１から３のいずれかに記載の空調システム。
【発明の詳細な説明】
【技術分野】
【０００１】
本発明は、室内の空調を行う空調システムに関するものである。
【背景技術】
【０００２】
従来の、この種、空調システムとしては、室内に配置される換気装置および脱臭装置を備えたものがあった。
【０００３】
すなわち、換気装置と脱臭装置の少なくとも一方に、空気の汚れを検出するセンサを設け、たとえば、換気装置近傍の調理器具で焼き物をした場合に、その空気の汚れを検出し、これら換気装置、脱臭装置の両方を同時に駆動させるようにしていた（例えば、下記特許文献１）。
【先行技術文献】
【特許文献】
【０００４】
【特許文献１】特開平１１−３５１６４５号公報
【発明の概要】
【発明が解決しようとする課題】
【０００５】
上記従来例における課題は、室内の空間の環境が悪化してしまうということであった。
【０００６】
すなわち、従来例では、焼き物をし、その結果として室内の空間の環境が悪化すると、換気装置、脱臭装置の両方を同時に駆動させ、悪化した環境を少しでも良くするようにしていた。
【０００７】
つまり、従来例では、一度は、焼き物のせいで、室内環境が悪化した状態となってしまい、その後、空気の汚れを検出し、換気装置、脱臭装置の両方を同時に駆動させ、悪化した環境を少しでも良くするようにしたものであった。
【０００８】
そこで本発明は、室内の空間の環境悪化を抑制することを目的とする。
【課題を解決するための手段】
【０００９】
そして、この目的を達成するために、本発明は、室内に配置される換気装置と脱臭装置とを備え、前記換気装置と前記脱臭装置とは連動運転する構成とし、調理時に前記換気装置が屋外へ換気送風する換気運転終了と同時に、少なくとも前記脱臭装置は、室内への循環送風による脱臭運転を行うことを特徴とし、これにより所期の目的を達成するものである。
【発明の効果】
【００１０】
本発明によれば、室内に配置される換気装置と脱臭装置とを備え、前記換気装置と前記脱臭装置とは連動運転する構成とし、調理時に前記換気装置が屋外へ換気送風する換気運転終了と同時に、少なくとも前記脱臭装置は、室内への循環送風による脱臭運転を行うことを特徴としたので、室内の空間の環境悪化を抑制することができる。
【００１１】
すなわち、本発明では、調理時に換気装置が屋外へ換気送風する換気運転終了と同時に、少なくとも脱臭装置は、室内への循環送風による脱臭運転を行うので、調理時に換気装置が屋外へ換気送風する換気運転で換気できなかった臭気を、換気運転終了と同時に、脱臭装置によって、脱臭運転を行い、室内の空間の環境悪化を抑制することができるのである。
【図面の簡単な説明】
【００１２】
【図１】本発明の実施の形態１の空調システムの室内の部屋における、電化製品、家具等の配置を示す図
【図２】同空調システムの換気装置を示す図
【図３】同空調システムの脱臭装置を示す図
【図４】同空調システムの詳細を示すブロック図
【図５】同空調システムの換気装置におけるフローチャート
【図６】同空調システムの脱臭装置におけるフローチャート
【発明を実施するための形態】
【００１３】
以下、本発明の実施の形態について図面を参照しながら説明する。
【００１４】
（実施の形態１）
図１は、室内の部屋における、電化製品、家具等の配置を示すものである。図２は、換気装置の構成を示す図である。図３は、脱臭装置の構成を示す図である。
【００１５】
図１における右側が、ダイニング１の空間で、左側がリビング２の空間である。これらダイニング１とリビング２とから１つの部屋を形成している。
【００１６】
ダイニング１には、加熱できる調理器具３が設置され、この調理器具３の上方には、換気装置４が備えられている。
【００１７】
換気装置４は、図２に示すように、換気用本体ケース５と、換気用送風手段６と、換気用制御部７と、換気用通信部８、スイッチ２３とを有している。
【００１８】
換気用本体ケース５は、下面が開口した箱形状で、この下面の開口が、換気用吸込口９である。換気用本体ケース５の上面には、換気用吹出口１０と備え、この換気用吹出口１０は、ダクト１１によって、屋外と連通している。
【００１９】
換気用送風手段６は、換気用本体ケース５内に設けられ、換気用吸込口９から吸い込んだ空気を換気用吹出口１０から屋外へ送風する換気送風を行う。
【００２０】
換気用制御部７は、換気用送風手段６の運転および停止を検知し、換気用通信部８によって、検知した内容を後述する脱臭装置１２と通信を行う。
【００２１】
リビング２には、図１に示すように、脱臭装置１２、椅子１３、テーブル１４が配置されている。脱臭装置１２は、天井１５に取り付けられている。
【００２２】
脱臭装置１２は、図３に示すように、脱臭用本体ケース１６と、脱臭手段１７と、脱臭用送風手段１８と、脱臭用通信部２０と、脱臭用制御部１９とを有している。
【００２３】
脱臭用本体ケース１６は、箱形状で、下面に脱臭用吸込口２１と脱臭用吹出口２２と備えている。脱臭用吸込口２１と脱臭用吹出口２２の下方には、ルーバー２８を備えている。
【００２４】
脱臭手段１７は、脱臭用本体ケース１６内に設けられている。１例としては、脱臭フィルターである。
【００２５】
脱臭用送風手段１８は、脱臭用本体ケース１６内に設けられ、脱臭用吸込口２１から吸い込んだ空気を脱臭手段１７を介して脱臭用吹出口２２から室内へ送風する循環送風を行う。脱臭用送風手段１８は、停止と、第１の風量と、第１の風量より大きい第２の風量で運転可能である。
【００２６】
脱臭用通信部２０は、換気装置４の換気用通信部８と通信を行い、脱臭用制御部１９は、脱臭用通信部２０で受信した信号に応じて脱臭用送風手段１８の風量を変化させる。
【００２７】
図４は、換気装置４、脱臭装置１２のブロック図を示している。
【００２８】
換気装置４は、換気用送風手段６に接続した換気用制御部７と、この換気用制御部７に接続したスイッチ２３、および換気用通信部８とから構成されている。
【００２９】
換気装置４は、「強」、「中」、「弱」の風量の異なる運転動作と、この運転動作を停止させる「停止」の４種類の動作を備えている。「強」、「中」、「弱」の順に風量が小さいものである。調理器具３で調理を行った場合に発生する水蒸気、煙、臭い等は、換気装置４によって室外へ排気できる。
【００３０】
脱臭装置１２は、脱臭用送風手段１８に接続した脱臭用制御部１９と、この脱臭用制御部１９に接続したスイッチ２４、および脱臭用通信部２０とから構成されている。脱臭装置１２は、第１の風量である「通常」と、第２の風量である「強」、の運転動作と、この運転動作を停止させる「停止」の３種類の動作を備えている。
【００３１】
換気装置４の換気用通信部８は、脱臭装置１２の脱臭用通信部２０と通信できる。すなわち、脱臭装置１２の運転を第２の風量である「強」にすることができる。つまり、換気装置４から脱臭装置１２の運転を制御できるものである。
【００３２】
本実施形態における特徴は、換気装置４と脱臭装置１２とは連動運転する構成で、調理時に換気装置４が屋外へ換気送風する換気運転終了と同時に、少なくとも脱臭装置１２は、室内への循環送風による脱臭運転を行う点である。
【００３３】
すなわち、本発明では、調理時に換気装置４が屋外へ換気送風する換気運転終了と同時に、少なくとも脱臭装置１２は、室内への循環送風による脱臭運転を行うので、調理時に換気装置４が屋外へ換気送風する換気運転で換気できなかった臭気を、換気運転終了と同時に、脱臭装置１２によって、脱臭運転を行い、室内の空間の環境悪化を抑制することができるのである。
【００３４】
具体的には、換気装置４は、換気用送風手段６が運転し、その後停止すると、換気用通信部８より停止信号を脱臭装置１２へ送信する。脱臭装置１２は、脱臭用送風手段１８が停止している場合に、脱臭用通信部２０で停止信号を受信すると、脱臭用制御部１９は、所定時間の間、第２の風量で脱臭用送風手段１８を運転させる。
【００３５】
この点を図５に示す換気装置４のフローチャート、図６に示す脱臭装置１２のフローチャートを用いて説明する。
【００３６】
料理を始める前に、換気装置４のスイッチ２３で、換気用制御部７に換気用送風手段６の運転（ＯＮ）の指示を伝える。すると、換気用制御部７は、換気用送風手段６を運転すると共に、メモリ２５に運転の指示を記憶させる。これにより、換気用送風手段６は、運転を継続する（図５のＳ１）。
【００３７】
そして、調理が終了すると、換気装置４のスイッチ２３で、換気用制御部７に換気用送風手段６の停止（ＯＦＦ）の指示を伝える。すると、換気用制御部７は、換気用送風手段６を停止（ＯＦＦ）すると共に、メモリ２５に停止（ＯＦＦ）の指示を記憶させる。これにより、換気用送風手段６は、運転を停止（ＯＦＦ）する（図５のＳ２）。これと同時に、換気用制御部７は、換気用通信部８から停止信号を脱臭用通信部２０へ送信すると共に、メモリ２５に換気用通信部８から停止信号を脱臭用通信部２０へ送信する指示を記憶させる（図５のＳ３）。
【００３８】
脱臭用通信部２０は、換気用通信部８から停止信号を受信すると、脱臭用制御部１９へ停止信号の受信を伝える（図６のＳ１）。すると、脱臭用制御部１９は、脱臭用通信部２０から脱臭用通信部２０へ返信する（図６のＳ２）と共に、メモリ２６に、所定時間の間、第２の風量で脱臭用送風手段１８を運転を記憶させる。これにより、脱臭用送風手段１８は、第２の風量（強）で運転を継続する（図６のＳ３）。
【００３９】
換気用通信部８は、脱臭用通信部２０から返信を受信すると、換気用制御部７へ脱臭用通信部２０から返信の受信を伝える（図５のＳ４）。すると、換気用制御部７は、換気用通信部８から停止信号を脱臭用通信部２０への送信を停止する（図５のＳ５）。
【００４０】
また、脱臭用制御部１９は、メモリ２６に所定時間の間、第２の風量で脱臭用送風手段１８を運転を記憶すると、これにより、脱臭用制御部１９は、所定時間の間、第２の風量で脱臭用送風手段１８を運転させる。脱臭用制御部１９は、タイマー２７によって、所定時間が経過したこと確認すると、脱臭用送風手段１８を「停止」すると共に、メモリ２６に「停止」の指示を記憶させる（図６のＳ４）。これにより、脱臭用送風手段１８は、「停止」を継続する（図６のＳ５）。
【００４１】
また、脱臭装置１２は、第１の風量での脱臭運転と、第１の風量より大きい第２の風量での脱臭運転とを有している。調理時に換気装置４の換気運転中に、脱臭装置１２が第１の風量で脱臭運転を行っている場合には、換気装置４の換気運転終了と同時に、脱臭装置１２は、第２の風量で脱臭運転を行うものである。
【００４２】
具体的には、換気装置４は、換気用送風手段６が運転し、その後停止すると、換気用通信部８より停止信号を脱臭装置１２へ送信する。脱臭装置１２は、第１の風量で運転している場合に、脱臭用通信部２０で停止信号を受信すると、脱臭用制御部１９は、所定時間の間、第２の風量で脱臭用送風手段１８を運転させる。
【００４３】
また、図１に示すように、脱臭装置１２は、換気装置４より上方に設置されたものである。
【００４４】
すなわち、調理時に換気装置４が屋外へ換気送風する換気運転で換気できなかった臭気、つまり、換気用本体ケース５内に吸い込まれずに、換気用本体ケース５外に漏れ、換気用本体ケース５の換気用吸込口９より、調理時に発生する上昇気流と共に、上方に漏れた臭気を、換気装置４より上方に設置した脱臭装置１２によって、脱臭するものである。
【００４５】
また、図３に示すように、脱臭装置１２は、天井１５面に沿って吸い込む脱臭用吸込口２１を有するものである。
【００４６】
具体的には、脱臭用本体ケース１６は、箱形状で、下面に脱臭用吸込口２１と脱臭用吹出口２２と備えている。これらの脱臭用吸込口２１と脱臭用吹出口２２との下方に、ルーバー２８を備えている。このルーバー２８は、略平板形状で、脱臭用吸込口２１と脱臭用吹出口２２と所定の距離を有し、水平に設けられている。同様に、天井１５下面とも所定の距離を有する。これにより、脱臭装置１２は、脱臭用送風手段１８によって、脱臭用吸込口２１から空気を吸い込むと、脱臭用吸込口２１とルーバー２８との間から室内の空気を吸い込むものである。ここで、天井１５下面と脱臭用吸込口２１とは、ほぼ同一面なので、脱臭用吸込口２１とルーバー２８との間から室内の空気を吸い込むと、天井１５下面に沿って脱臭用吸込口２１へ流れる空気の流れが発生する。
【００４７】
すなわち、調理時に換気装置４が屋外へ換気送風する換気運転で換気できなかった臭気、つまり、換気用本体ケース５内に吸い込まれずに、換気用本体ケース５外に漏れ、換気用本体ケース５の換気用吸込口９より、調理時に発生する上昇気流と共に、上方に漏れ、天井１５面付近に溜まった臭気を、天井１５面に沿って吸い込む脱臭用吸込口２１から吸い込み、脱臭装置１２によって、脱臭するものである。
【産業上の利用可能性】
【００４８】
本発明によれば、室内に配置される換気装置と脱臭装置とを備え、前記換気装置と前記脱臭装置とは連動運転する構成とし、調理時に前記換気装置が屋外へ換気送風する換気運転終了と同時に、少なくとも前記脱臭装置は、室内への循環送風による脱臭運転を行うことを特徴としたので、室内の空間の環境悪化を抑制することができる。
【００４９】
すなわち、本発明では、調理時に換気装置が屋外へ換気送風する換気運転終了と同時に、少なくとも脱臭装置は、室内への循環送風による脱臭運転を行うので、調理時に換気装置が屋外へ換気送風する換気運転で換気できなかった臭気を、換気運転終了と同時に、脱臭装置によって、脱臭運転を行い、室内の空間の環境悪化を抑制することができるのである。
【符号の説明】
【００５０】
１      ダイニング
２      リビング
３      調理器具
４      換気装置
５      換気用本体ケース
６      換気用送風手段
７      換気用制御部
８      換気用通信部
９      換気用吸込口
１０      換気用吹出口
１１      ダクト
１２      脱臭装置
１３      椅子
１４      テーブル
１５      天井
１６      脱臭用本体ケース
１７      脱臭手段
１８      脱臭用送風手段
１９      脱臭用制御部
２０      脱臭用通信部
２１      脱臭用吸込口
２２      脱臭用吹出口
２３      スイッチ
２４      スイッチ
２５      メモリ
２６      メモリ
２７      タイマー
２８      ルーバー
【図１】
2015183945.tif 000003
【図２】
2015183945.tif 000004
【図３】
2015183945.tif 000005
【図４】
2015183945.tif 000006
【図５】
2015183945.tif 000007
【図６】
2015183945.tif 000008